(57)【要約】 【課題】  所望の情報を相手装置の利用者に確実に伝えることができ、利便性を向上させることができる通信装置および通信方法を提供する。【解決手段】  操作入力手段８は、相手情報３を操作入力する。生成手段５は、入力される送信対象情報２から、送信先の相手装置に関する相手情報３に基づいて、相手装置に応じたデータ形式の送信対象情報４を生成する。送信手段７は、生成手段５によって生成された送信対象情報４を表す信号６を、相手装置へ送信する。【選択図】      図１
2007060165.tif 000002
【特許請求の範囲】
【請求項１】
入力される送信対象情報から、送信先の相手装置に関する相手情報に基づいて、相手装置に応じたデータ形式の送信対象情報を生成する生成手段と、
生成手段によって生成された送信対象情報を表す信号を、相手装置へ送信する送信手段とを含むことを特徴とする通信装置。
【請求項２】
相手情報は、相手装置の情報出力形態の情報を含み、
生成手段は、相手装置の情報出力形態の情報に基づいて、相手装置で出力可能なデータ形式の送信対象情報を生成することを特徴とする請求項１記載の通信装置。
【請求項３】
生成手段は、相手装置の情報出力形態の情報に基づいて、相手装置が音声で表すデータ形式の情報を出力不可能でありかつ画像で表すデータ形式の情報を出力可能であるとともに、送信対象情報が音声で表すデータ形式の情報を含む場合、音声で表すデータ形式の情報から、予め定める規則に従って符号化された画像で表すデータ形式の情報を生成することを特徴とする請求項２記載の通信装置。
【請求項４】
生成手段は、相手装置の情報出力形態の情報に基づいて、相手装置が音声で表すデータ形式の情報を出力不可能でありかつ文字で表すデータ形式の情報を出力可能であるとともに、送信対象情報が音声で表すデータ形式の情報を含む場合、音声で表すデータ形式の情報から、文字で表すデータ形式の情報を生成することを特徴とする請求項２または３記載の通信装置。
【請求項５】
生成手段は、相手装置の情報出力形態の情報に基づいて、相手装置が音声で表すデータ形式の情報を出力可能であるとともに、画像で表すデータ形式の情報を表示画面に表示して出力可能であり、かつ表示画面に表示させた画像の所定位置を選択可能であるとともに、音声で表すデータ形式の情報を出力する指示指令が与えられると音声で表すデータ形式の情報を出力することが可能であり、さらに送信対象情報が音声で表すデータ形式の情報および画像で表すデータ形式の情報を含む場合、音声で表すデータ形式の情報と、所定位置にマークを有する画像で表すデータ形式の情報と、マークを選択することによって音声で表すデータ形式の情報を出力する指令を示すデータ形式の情報とを含む送信対象情報を生成することを特徴とする請求項２〜４のいずれか１つに記載の通信装置。
【請求項６】
相手情報は、相手装置の利用者に適した言語の情報を含み、
生成手段は、相手装置の利用者に適した言語の情報に基づいて、相手装置の利用者に適した言語で表すデータ形式の送信対象情報を生成することを特徴とする請求項１〜５のいずれか１つに記載の通信装置。
【請求項７】
相手情報は、相手装置が設置される場所の情報を含み、
生成手段は、相手装置が設置される場所の情報に基づいて、相手装置が設置される場所で用いる言語で表すデータ形式の送信対象情報を生成することを特徴とする請求項１〜６のいずれか１つに記載の通信装置。
【請求項８】
通信前手順において、相手装置から相手情報を表す信号を受信する受信手段を含むことを特徴とする請求項１〜７のいずれか１つに記載の通信装置。
【請求項９】
相手情報を操作入力する操作入力手段を含むことを特徴とする請求項１〜８のいずれか１つに記載の通信装置。
【請求項１０】
相手情報を記憶する記憶手段を含むことを特徴とする請求項１〜９のいずれか１つに記載の通信装置。
【請求項１１】
入力される送信対象情報から、送信先の相手装置に関する相手情報に基づいて、相手装置に応じたデータ形式の送信対象情報を生成して、その送信対象情報を表す信号を、相手装置へ送信することを特徴とする通信方法。
【請求項１２】
コンピュータに、
入力される送信対象情報から、送信先の相手装置に関する相手情報に基づいて、相手装置に応じたデータ形式の送信対象情報を生成する機能と、
生成された送信対象情報を表す信号を、相手装置へ送信する機能とを実現させるためのプログラム。
【請求項１３】
請求項１２記載のプログラムを記録したコンピュータ読取可能な記録媒体。
【発明の詳細な説明】
【技術分野】
【０００１】
本発明は、送信対象情報を表す信号を相手装置へ送信する通信装置および通信方法に関する。
【背景技術】
【０００２】
第１の従来技術は、特許文献１に開示される。この従来技術では、送信局において、送信原稿上の所定位置を指定して音声メッセージを登録すると、送信原稿上の当該位置には、その音声メッセージに固有のバーコードが合成され、バーコードの合成された画像情報が受信局へ転送される。さらに送信局から受信局へは、相互に対応付けられた音声メッセージおよびバーコードが送信される。受信局では、バーコードの合成された画像情報、ならびに相互に対応付けられた音声メッセージおよびバーコードが受信される。画像情報を印字して、その所望位置に合成されているバーコードをバーコードリーダで読み取ると、当該バーコードに対応した音声メッセージが再生出力される。
【０００３】
第２の従来技術は、特許文献２に開示される。この従来技術では、通信ネットワークを介してサーバからクライアントに情報を供給する。サーバは、バーチャルに構築される所定のサイトの画面を表示する表示情報をクライアントへ供給するとともに、表示情報に対応付けられる音声情報をクライアントへ供給する。クライアントは、前記表示情報および音声情報を受け取る。クライアントでは、音声情報が付属されていることを示すマークが、表示情報が表示される画面において付加的に表示される。ユーザによって前記マークを選択指示する操作がなされたとき、該選択指示されたマークに対応して付属されている音声情報に基づき音声が発音される。
【０００４】
【特許文献１】特開平８−１２５７８９号公報
【特許文献２】特開２００２−３６６８５３号公報
【発明の開示】
【発明が解決しようとする課題】
【０００５】
前記第１の従来技術では、受信局によっては、音声メッセージを再生出力することができない場合がある。たとえば、バーコードリーダおよび音声出力部の少なくともいずれか一方が受信局になければ、受信局で音声メッセージを再生出力することができない。音声メッセージを再生出力することができない場合、受信局の利用者に音声メッセージに含まれる情報を伝えることができない。したがって必ずしも所望の情報を受信局の利用者に伝えることができるとは限らず、不便であるという問題がある。
【０００６】
前記第２の従来技術では、クライアントによっては、マークに対応して付属されている音声情報に基づく音声を発音させることができない場合がある。したがって前記第１の従来技術と同様、必ずしも所望の情報をクライアントの利用者に伝えることができるとは限らず、不便であるという問題がある。
【０００７】
本発明の目的は、所望の情報を相手装置の利用者に確実に伝えることができ、利便性を向上させることができる通信装置および通信方法を提供することである。
【課題を解決するための手段】
【０００８】
本発明は、入力される送信対象情報から、送信先の相手装置に関する相手情報に基づいて、相手装置に応じたデータ形式の送信対象情報を生成する生成手段と、
生成手段によって生成された送信対象情報を表す信号を、相手装置へ送信する送信手段とを含むことを特徴とする通信装置である。
【０００９】
また本発明は、相手情報は、相手装置の情報出力形態の情報を含み、
生成手段は、相手装置の情報出力形態の情報に基づいて、相手装置で出力可能なデータ形式の送信対象情報を生成することを特徴とする。
【００１０】
また本発明は、生成手段は、相手装置の情報出力形態の情報に基づいて、相手装置が音声で表すデータ形式の情報を出力不可能でありかつ画像で表すデータ形式の情報を出力可能であるとともに、送信対象情報が音声で表すデータ形式の情報を含む場合、音声で表すデータ形式の情報から、予め定める規則に従って符号化された画像で表すデータ形式の情報を生成することを特徴とする。
【００１１】
また本発明は、生成手段は、相手装置の情報出力形態の情報に基づいて、相手装置が音声で表すデータ形式の情報を出力不可能でありかつ文字で表すデータ形式の情報を出力可能であるとともに、送信対象情報が音声で表すデータ形式の情報を含む場合、音声で表すデータ形式の情報から、文字で表すデータ形式の情報を生成することを特徴とする。
【００１２】
また本発明は、生成手段は、相手装置の情報出力形態の情報に基づいて、相手装置が音声で表すデータ形式の情報を出力可能であるとともに、画像で表すデータ形式の情報を表示画面に表示して出力可能であり、かつ表示画面に表示させた画像の所定位置を選択可能であるとともに、音声で表すデータ形式の情報を出力する指示指令が与えられると音声で表すデータ形式の情報を出力することが可能であり、さらに送信対象情報が音声で表すデータ形式の情報および画像で表すデータ形式の情報を含む場合、音声で表すデータ形式の情報と、所定位置にマークを有する画像で表すデータ形式の情報と、マークを選択することによって音声で表すデータ形式の情報を出力する指令を示すデータ形式の情報とを含む送信対象情報を生成することを特徴とする。
【００１３】
また本発明は、相手情報は、相手装置の利用者に適した言語の情報を含み、
生成手段は、相手装置の利用者に適した言語の情報に基づいて、相手装置の利用者に適した言語で表すデータ形式の送信対象情報を生成することを特徴とする。
【００１４】
また本発明は、相手情報は、相手装置が設置される場所の情報を含み、
生成手段は、相手装置が設置される場所の情報に基づいて、相手装置が設置される場所で用いる言語で表すデータ形式の送信対象情報を生成することを特徴とする。
【００１５】
また本発明は、通信前手順において、相手装置から相手情報を表す信号を受信する受信手段を含むことを特徴とする。
【００１６】
また本発明は、相手情報を操作入力する操作入力手段を含むことを特徴とする。
また本発明は、相手情報を記憶する記憶手段を含むことを特徴とする。
【００１７】
また本発明は、入力される送信対象情報から、送信先の相手装置に関する相手情報に基づいて、相手装置に応じたデータ形式の送信対象情報を生成して、その送信対象情報を表す信号を、相手装置へ送信することを特徴とする通信方法である。
【００１８】
また本発明は、コンピュータに、
入力される送信対象情報から、送信先の相手装置に関する相手情報に基づいて、相手装置に応じたデータ形式の送信対象情報を生成する機能と、
生成された送信対象情報を表す信号を、相手装置へ送信する機能とを実現させるためのプログラムである。
また本発明は、前記プログラムを記録したコンピュータ読取可能な記録媒体である。
【発明の効果】
【００１９】
本発明によれば、生成手段は、入力される送信対象情報から、送信先の相手装置に関する相手情報に基づいて、相手装置に応じたデータ形式の送信対象情報を生成する。送信手段は、生成手段によって生成された送信対象情報を表す信号を、相手装置へ送信する。したがって相手装置へは、この相手装置に応じたデータ形式の送信対象情報を表す信号を送信することができる。これによって相手装置では、本発明の通信装置から受信した信号が表す情報を出力して、所望の情報を相手装置の利用者に確実に伝えることができ、利便性を向上させることができる。
【００２０】
また本発明によれば、相手情報は、相手装置の情報出力形態の情報を含む。生成手段は、相手装置の情報出力形態の情報に基づいて、相手装置で出力可能なデータ形式の送信対象情報を生成する。したがって相手装置へは、この相手装置で出力可能なデータ形式の送信対象情報を表す信号を送信することができる。これによって相手装置では、本発明の通信装置から受信した信号が表す情報を確実に出力することができる。
【００２１】
また本発明によれば、相手装置が音声で表すデータ形式の情報を出力不可能でありかつ画像で表すデータ形式の情報を出力可能であるとともに、送信対象情報が音声で表すデータ形式の情報を含む場合がある。この場合、生成手段は、音声で表すデータ形式の情報から、予め定める規則に従って符号化された画像で表すデータ形式の情報を生成する。相手装置へは、前記予め定める規則に従って符号化された画像で表すデータ形式の情報を表す信号を送信する。したがって前述のような場合であっても、相手装置では、本発明の通信装置から受信した信号が表す情報を確実に出力することができる。
【００２２】
また本発明によれば、相手装置が音声で表すデータ形式の情報を出力不可能でありかつ文字で表すデータ形式の情報を出力可能であるとともに、送信対象情報が音声で表すデータ形式の情報を含む場合がある。この場合、生成手段は、音声で表すデータ形式の情報から、文字で表すデータ形式の情報を生成する。相手装置へは、前記文字で表すデータ形式の情報を表す信号を送信する。したがって前述のような場合であっても、相手装置では、本発明の通信装置から受信した信号が表す情報を確実に出力することができる。
【００２３】
また本発明によれば、相手装置が音声で表すデータ形式の情報を出力可能であるとともに、画像で表すデータ形式の情報を表示画面に表示して出力可能であり、かつ表示画面に表示させた画像の所定位置を選択可能であるとともに、音声で表すデータ形式の情報を出力する指示指令が与えられると音声で表すデータ形式の情報を出力することが可能であり、さらに送信対象情報が音声で表すデータ形式の情報および画像で表すデータ形式の情報を含む場合がある。
【００２４】
この場合、生成手段は、音声で表すデータ形式の情報と、所定位置にマークを有する画像で表すデータ形式の情報と、マークを選択することによって音声で表すデータ形式の情報を出力する指令を示すデータ形式の情報とを含む送信対象情報を生成する。相手装置へは、前記各情報を含む送信対象情報を送信する。
【００２５】
したがって前述のような場合、相手装置では、所定位置にマークを有する画像で表すデータ形式の情報を表示画面に表示して出力することができる。そして、表示画面に表示させた画像の前記マークが選択されることによって、音声で表すデータ形式の情報を出力することができる。これによって、相手装置の利用者に情報を解り易く伝えることができる。
【００２６】
また本発明によれば、相手情報は、相手装置の利用者に適した言語の情報を含む。生成手段は、相手装置の利用者に適した言語の情報に基づいて、相手装置の利用者に適した言語で表すデータ形式の送信対象情報を生成する。したがって相手装置へは、この相手装置の利用者に適した言語で表すデータ形式の送信対象情報を表す信号を送信することができる。これによって相手装置では、本発明の通信装置から受信した信号が表す情報を、相手装置の利用者に適した言語で出力することができる。
【００２７】
また本発明によれば、相手情報は、相手装置が設置される場所の情報を含む。生成手段は、相手装置が設置される場所の情報に基づいて、相手装置が設置される場所で用いる言語で表すデータ形式の送信対象情報を生成する。したがって相手装置へは、この相手装置が設置される場所で用いる言語で表すデータ形式の送信対象情報を表す信号を送信することができる。これによって相手装置では、本発明の通信装置から受信した信号が表す情報を、相手装置が設置される場所で用いる言語で出力することができる。
【００２８】
また本発明によれば、受信手段によって、通信前手順において、相手装置から相手情報を表す信号を受信するので、送信のときに、相手情報を操作入力する必要がない。したがって相手情報の操作入力に要する手間を省くことができる。
【００２９】
また本発明によれば、操作入力手段によって相手情報を入力するので、相手装置に応じて相手情報を任意に操作入力することができる。
【００３０】
また本発明によれば、記憶手段によって相手情報を記憶するので、ある相手装置に関する相手情報を一旦、記憶手段に記憶させておくと、その相手装置については、送信のときに、相手情報を操作入力する必要がない。したがって相手情報の操作入力に要する手間を省くことができる。
【００３１】
また本発明によれば、入力される送信対象情報から、送信先の相手装置に関する相手情報に基づいて、相手装置に応じたデータ形式の送信対象情報を生成して、その送信対象情報を表す信号を、相手装置へ送信する。したがって相手装置へは、この相手装置に応じたデータ形式の送信対象情報を表す信号を送信することができる。これによって相手装置では、本発明の通信方法によって送信された信号を受信し、受信した信号が表す情報を出力して、所望の情報を相手装置の利用者に確実に伝えることができ、利便性を向上させることができる。
【００３２】
また本発明によれば、本発明のプログラムをコンピュータで実行することによって、前記コンピュータに、（１）入力される送信対象情報から、送信先の相手装置に関する相手情報に基づいて、相手装置に応じたデータ形式の送信対象情報を生成する機能と、（２）生成された送信対象情報を表す信号を、相手装置へ送信する機能とを実現させることができる。
【００３３】
また本発明によれば、前記プログラムを記録したコンピュータ読取可能な記録媒体が用いられることによって、前記プログラムのインストールおよび実行が可能となり、また前記プログラムの流通が可能となる。
【発明を実施するための最良の形態】
【００３４】
図１は、本発明の実施の第１形態であるファクシミリ装置１の構成を大略的に示すブロック図である。通信装置であるファクシミリ装置１は、入力される送信対象情報２から、送信先の相手装置に関する相手情報３に基づいて、相手装置に応じたデータ形式の送信対象情報４を生成する生成手段５と、生成手段５によって生成された送信対象情報４を表す信号６を、相手装置へ送信する送信手段７と、相手情報３を操作入力する操作入力手段８とを含む。
【００３５】
本実施の形態では、相手情報３は、相手装置の情報出力形態の情報を含む。生成手段５は、相手装置の情報出力形態の情報に基づいて、相手装置で出力可能なデータ形式の送信対象情報４を生成する。
【００３６】
本実施の形態は、相手装置の情報出力形態として、以下の３つの情報出力形態を想定して説明する。第１の情報出力形態は、音声で表すデータ形式の情報を出力不可能でありかつ画像で表すデータ形式の情報を記録シートに印刷して出力可能であるという情報出力形態である。第２の情報出力形態は、音声で表すデータ形式の情報を出力不可能でありかつ文字で表すデータ形式の情報を記録シートに印刷して出力可能であるという情報出力形態である。第３の情報出力形態は、音声で表すデータ形式の情報を出力可能であるとともに、画像で表すデータ形式の情報を表示画面に表示して出力可能であり、かつ表示画面に表示させた画像の所定位置を選択可能であるとともに、音声で表すデータ形式の情報を出力する指示指令が与えられると音声で表すデータ形式の情報を出力することが可能であるという情報出力形態である。
【００３７】
生成手段５は、相手装置の情報出力形態が第１の情報出力形態であり、さらに、入力される送信対象情報２が音声で表すデータ形式の情報を含む場合、音声で表すデータ形式の情報から、予め定める規則に従って符号化された画像で表すデータ形式の情報を生成する。前記予め定める規則に従って符号化された画像は、２次元コードであり、詳しくはＱＲ（Quick Response）コードである。
【００３８】
また生成手段５は、相手装置の情報出力形態が第２の情報出力形態であり、さらに、入力される送信対象情報２が音声で表すデータ形式の情報を含む場合、音声で表すデータ形式の情報から、文字で表すデータ形式の情報を生成する。
【００３９】
また生成手段５は、相手装置の情報出力形態が第３の情報出力形態であり、さらに、入力される送信対象情報２が音声で表すデータ形式の情報および画像で表すデータ形式の情報を含む場合、音声で表すデータ形式の情報と、所定位置にマークを有する画像で表すデータ形式の情報と、マークを選択することによって音声で表すデータ形式の情報を出力する指令を示すデータ形式の情報とを含む送信対象情報を生成する。
【００４０】
以下、音声で表すデータ形式の情報を、音声情報という場合がある。また画像で表すデータ形式の情報を、画像情報という場合がある。またＱＲコードで表すデータ形式の情報を、ＱＲコード情報という場合がある。また文字で表すデータ形式の情報を、文字情報という場合がある。
【００４１】
図２は、ファクシミリ装置１の構成を示すブロック図である。図３は、ファクシミリ装置１の外観を示す正面図である。ファクシミリ装置１は、読取部１１と、印刷部１２と、表示部１３と、表示制御部１４と、タッチパネル部１５と、パネル制御部１６と、マイク１７と、スピーカ１８と、音声制御部１９と、音声認識部２０と、画像処理部２１と、符号化復号化部２２と、操作部２３と、メモリ部２４と、通信制御部２５と、モデム部２６と、回線制御部２７と、システム制御部２８とを含む。
【００４２】
前記生成手段５は、システム制御部２８と音声認識部２０と画像処理部２１とによって構成される。また前記送信手段７は、通信制御部２５とモデム部２６と回線制御部２７とによって構成される。また前記操作入力手段８は、操作部２３によって構成される。
【００４３】
読取部１１は、原稿を読み取って、画像情報である原稿画像情報を生成する。読取部１１は、原稿を移動させる原稿送り装置と、イメージセンサとを有する。イメージセンサは、複数の撮像素子が１列に整列されて構成される。イメージセンサは、たとえば電荷結合形イメージセンサによって実現される。
【００４４】
印刷部１２は、画像情報および文字情報を、記録シートに印刷して出力する。印刷部１２は、記録シートを移動させる記録シート送り装置と、記録シートに向けてインク粒子を噴射するインクジェットヘッドとを有する。本実施の形態では、記録方式として、インクジェット記録方式が採用されるけれども、その他の記録方式、たとえば感熱記録方式および電子写真記録方式などが採用されてもよい。
【００４５】
表示部１３および表示制御部１４は、画像情報および文字情報を表示画面に表示して出力する。表示部１３は、ファクシミリ装置１を利用している利用者に臨むように設けられる。表示部１３は、たとえば液晶表示素子によって実現される。表示制御部１４は、表示部１３を駆動する駆動回路によって実現される。
【００４６】
タッチパネル部１５およびパネル制御部１６は、位置情報を入力する。タッチパネル部１５は、表示部１３に重ねて設けられる。パネル制御部１６は、タッチパネル部１５を駆動する駆動回路によって実現される。ファクシミリ装置１の利用者が手指をタッチパネル部１５に当てると、手指が当たった位置が検出されて、位置情報が入力される。
【００４７】
マイク１７は、音声情報を入力する。スピーカ１８は、音声情報を出力する。マイク１７およびスピーカ１８は、ファクシミリ装置１を利用している利用者に臨むように設けられる。音声制御部１９は、マイク１７から与えられる音声情報を表す信号をアナログ信号からデジタル信号へ変換するとともに、スピーカ１８へ与える音声情報を表す信号をデジタル信号からアナログ信号へ変換する。
【００４８】
音声認識部２０は、マイク１７から入力される音声情報に基づいて、音声を認識する。画像処理部２１は、画像情報を処理する。たとえば、画像処理部２１は、音声認識部２０による認識結果に基づいて、ＱＲコード情報を生成する。また画像処理部２１は、音声認識部２０による認識結果に基づいて、文字情報を生成する。符号化復号化部２２は、情報を符号化して圧縮するとともに、情報を復号化して伸長する。
【００４９】
操作部２３は、情報を操作入力する。操作部２３からは、相手装置に関する相手情報、および相手装置の電話番号の情報などが操作入力される。操作部２３は、ファクシミリ装置１を利用している利用者に臨むように設けられる。
【００５０】
メモリ部２４は、情報を記憶する。メモリ部２４には、読取部１１からの原稿画像情報、音声制御部１９からの音声情報、およびパネル制御部１６からの位置情報などが記憶される。
【００５１】
通信制御部２５は、所定のファクシミリ伝送制御処理を実行する。モデム部２６は、通信制御部２５と回線制御部２７との間に介在し、通信制御部２５から回線制御部２７へ与えられる信号をデジタル信号からアナログ信号へ変換するとともに、回線制御部２７から通信制御部２５へ与えられる信号をアナログ信号からデジタル信号へ変換する。回線制御部２７は、公衆回線網２９を介して、信号を送信および受信する。また回線制御部２７は、公衆回線網２９の状態を監視し、公衆回線網２９への接続および接続解除を制御し、相手装置との通信の開始および終了を制御する。
【００５２】
システム制御部２８は、システムバス３０を介して、読取部１１と、印刷部１２と、表示制御部１４と、パネル制御部１６と、音声制御部１９と、音声認識部２０と、画像処理部２１と、符号化復号化部２２と、操作部２３と、メモリ部２４と、通信制御部２５とに接続され、前記各部１１，１２，１４，１６，１９〜２５をそれぞれ制御する。システム制御部２８は、送信対象情報の入力処理および送信対象情報の送信処理などを実行する。システム制御部２８は、中央演算処理装置などによって実現される。
【００５３】
図４は、システム制御部２８による送信対象情報の入力処理を説明するためのフローチャートである。図５は、原稿３１の一例を示す図である。図５に示す原稿３１には、複数の図形３２が描かれている。
【００５４】
システム制御部２８による送信対象情報の入力処理は、読取部１１の原稿送り装置に原稿３１がセットされると、開始される。送信対象情報の入力処理を開始すると、ステップａ１に進む。ステップａ１では、音声情報を添付するか否かの判断を促すメッセージを、表示制御部１４によって表示部１３の表示画面に表示させ、ステップａ２に進む。ステップａ２では、操作部２３によって操作入力される情報に応答して、音声情報を添付するか否かを判定する。
【００５５】
ステップａ２において音声情報を添付すると判定すると、ステップａ３に進む。ステップａ３では、読取部１１によって、原稿３１を読み取って、原稿画像情報を生成し、ステップａ４に進む。ステップａ４では、符号化復号化部２２によって、前記ステップａ３で生成された原稿画像情報を符号化して圧縮する。さらに、圧縮された原稿画像情報を、メモリ部２４に記憶させて、ステップａ５に進む。ステップａ５では、後述の図６に示す音声情報の添付処理を実行し、この後、送信対象情報の入力処理を終了する。
【００５６】
ステップａ２において音声情報を添付しないと判定すると、ステップａ７に進む。ステップａ７では、読取部１１によって、原稿３１を読み取って、原稿画像情報を生成し、ステップａ８に進む。ステップａ８では、符号化復号化部２２によって、前記ステップａ７で生成された原稿画像情報を符号化して圧縮する。さらに、圧縮された原稿画像情報を、メモリ部２４に記憶させ、この後、送信対象情報の入力処理を終了する。
【００５７】
図６は、システム制御部２８による音声情報の添付処理を説明するためのフローチャートである。図７は、表示部１３の表示画面に表示される画像を示す図である。音声情報の添付処理を開始すると、ステップｂ１に進む。
【００５８】
ステップｂ１では、図７（１）に示すように、原稿画像情報を、表示制御部１４によって表示部１３の表示画面に表示させる。表示部１３の表示画面には、原稿画像情報に基づく画像の全部または一部、図７（１）においては一部が、表示される。原稿画像情報に基づく画像の、表示部１３の表示画面に表示される部分は、たとえばファクシミリ装置１の利用者による操作部２３の操作によって移動させることが可能である。表示部１３の表示画面に原稿画像情報を表示させた状態で、ステップｂ２に進む。
【００５９】
ステップｂ２では、位置指定があったか否かを判定する。詳しくは、ファクシミリ装置１の利用者が手指をタッチパネル部１５に当てると、位置情報が入力される。この位置情報の入力があったとき、位置指定があったと判定する。ファクシミリ装置１の利用者が手指を当てた位置には、図７（２）に示すように、位置が指定されたことを示すマーク３３が表示される。位置指定があるまでステップｂ２の動作を繰り返し実行し、位置指定があったと判定すると、ステップｂ３に進む。ステップｂ３では、入力された位置情報を、メモリ部２４に記憶させ、ステップｂ４に進む。
【００６０】
ステップｂ４では、音声入力を促すメッセージを、表示制御部１４によって表示部１３の表示画面に表示させ、ステップｂ５に進む。ステップｂ５では、マイク１７からの音声入力があったか否かを判定する。音声入力があるまでステップｂ５の動作を繰り返し実行し、音声入力があったと判定すると、ステップｂ６に進む。
【００６１】
ステップｂ６では、入力された音声情報を、符号化復号化部２２によって符号化して圧縮する。さらに、圧縮された音声情報を、メモリ部２４に記憶させ、ステップｂ７に進む。音声入力があったとき、前記ファクシミリ装置１の利用者が手指を当てた位置には、図７（３）に示すように、音声が入力されていることを示すマーク３４が表示される。このマーク３４は、１種類であってもよく、あるいは複数の種類のうちから適宜選択することが可能になっていてもよい。
【００６２】
ステップｂ７では、操作部２３によって操作入力される情報に応答して、音声情報添付作業を終了するか否かを判定する。音声情報添付作業を終了しないと判定すると、ステップｂ２に戻る。音声情報添付作業を終了すると判定すると、音声情報の添付処理を終了する。位置指定および音声入力が複数回、繰り返されると、図７（４）に示すように、表示部１３の表示画面には、音声が入力されていることを示すマーク３４が複数個、表示される。
【００６３】
図８は、メモリ部２４に記憶される関連付け情報３５を示す図である。音声情報の添付処理では、関連付け情報３５が生成されて、メモリ部２４に記憶される。メモリ部２４には、関連付け情報３５として、ページを示すページ情報３６と、ページにおける位置を示す位置情報３７と、添付される音声情報である添付音声情報を格納しているメモリ領域の先頭アドレスの値を示す情報３８と、添付される画像情報である添付画像情報を格納しているメモリ領域の先頭アドレスの値を示す情報３９とが、関連付けられて記憶されている。ページは、原稿毎に割り当てられる。位置情報３７は、Ｘ座標を示す情報３７ａとＹ座標を示す情報３７ｂとによって構成される。添付画像情報は、前記音声が入力されていることを示すマーク３４についての画像情報である。
【００６４】
図９は、システム制御部２８による送信対象情報の送信処理を説明するためのフローチャートである。この図９では、前記図４のステップａ３〜ａ５で入力される各情報が送信対象情報となる場合、換言すれば、送信対象情報が原稿画像情報および添付音声情報を含む場合を想定して説明する。
【００６５】
システム制御部２８による送信対象情報の送信処理は、送信すべき送信対象情報が選択され、かつ相手装置の電話番号の情報が入力されると、開始される。送信対象情報の送信処理を開始すると、ステップｃ１に進む。ステップｃ１では、操作部２３によって操作入力される相手情報に応答して、相手装置の情報出力形態を判定する。
【００６６】
ステップｃ１において相手装置の情報出力形態が第１の情報出力形態であると判定すると、ステップｃ２に進む。ステップｃ２では、音声認識部２０によって、送信対象情報に含まれる添付音声情報に基づいて、音声を認識し、ステップｃ３に進む。ステップｃ３では、画像処理部２１によって、前記ステップｃ２での認識結果に基づいて、添付音声情報毎に、ＱＲコード情報を生成し、ステップｃ４に進む。
【００６７】
ステップｃ４では、画像処理部２１によって、原稿画像情報にＱＲコード情報を合成する。このとき、音声入力した位置にその音声に係るＱＲコードが配置されるように、原稿画像情報にＱＲコード情報を合成する。次のステップｃ５では、原稿画像情報にＱＲコード情報を合成した合成情報を含む送信対象情報を表す信号を、通信制御部２５によって、回線制御部２７を介して相手装置へ送信し、この後、送信対象情報の送信処理を終了する。
【００６８】
ステップｃ１において相手装置の情報出力形態が第２の情報出力形態であると判定すると、ステップｃ７に進む。ステップｃ７では、音声認識部２０によって、送信対象情報に含まれる添付音声情報に基づいて、音声を認識し、ステップｃ８に進む。ステップｃ８では、画像処理部２１によって、前記ステップｃ７での認識結果に基づいて、添付音声情報毎に、文字情報を生成し、ステップｃ９に進む。各文字情報には、所定の記号の情報がそれぞれ付加されている。
【００６９】
ステップｃ９では、画像処理部２１によって、原稿画像情報に所定の記号の情報を合成する。このとき、音声入力した位置に、その音声に係る所定の記号が配置されるように、原稿画像情報に所定の記号の情報を合成する。次のステップｃ１０では、原稿画像情報に所定の記号の情報を合成した合成情報および前記ステップｃ７で生成された文字情報を含む送信対象情報を表す信号を、通信制御部２５によって、回線制御部２７を介して相手装置へ送信し、この後、送信対象情報の送信処理を終了する。
【００７０】
ステップｃ１において相手装置の情報出力形態が第３の情報出力形態であると判定すると、ステップｃ１１に進む。ステップｃ１１では、添付音声情報と、所定位置にマークを有する画像で示すデータ形式の情報と、マークを選択することによって添付音声情報を出力する指令を示すデータ形式の情報とを含む送信対象情報を生成する。
【００７１】
所定位置は、音声入力した位置である。前記所定位置にマークを有する画像で示すデータ形式の情報は、原稿画像情報と、位置情報と、添付画像情報とを含む。このデータ形式の情報では、位置情報と添付画像情報とが関連付けられている。また前記マークを選択することによって添付音声情報を出力する指令を示すデータ形式の情報は、位置情報と、添付音声情報とを含む。このデータ形式の情報では、位置情報と添付音声情報とが関連付けられている。
【００７２】
次のステップｃ１２では、前記ステップｃ１１で生成された送信対象情報を表す信号を、通信制御部２５によって、回線制御部２７を介して相手装置へ送信し、この後、送信対象情報の送信処理を終了する。
【００７３】
図１０は、伝送制御手順の一例を説明するためのシーケンス図である。図１０には、国際電信電話諮問委員会（ＣＣＩＴＴ）の勧告Ｔ．３０に基づく伝送制御手順における信号シーケンスを示す。
【００７４】
伝送制御手順を開始すると、ファクシミリ装置１は、コーリングトーン（ＣＮＧ）４１を相手装置へ送信する。相手装置は、コーリングトーン４１をファクシミリ装置１から受信すると、被呼端末識別信号（ＣＥＤ）４２、非標準機能識別信号（ＮＳＦ）４３およびデジタル識別信号（ＤＩＳ）４４を順次、ファクシミリ装置１へ送信する。
【００７５】
ファクシミリ装置１は、被呼端末識別信号４２、非標準機能識別信号４３およびデジタル識別信号４４を順次、相手装置から受信すると、非標準機能設定信号（ＮＳＳ）４５、トレーニング信号４６およびトレーニングチェック信号（ＴＣＦ）４７を順次、相手装置へ送信する。相手装置は、非標準機能設定信号４５、トレーニング信号４６およびトレーニングチェック信号４７を順次、相手装置から受信すると、受信準備確認信号（ＣＦＲ）４８をファクシミリ装置１へ送信する。ファクシミリ装置１は、受信準備確認信号４８を相手装置から受信すると、最初のページのファクシミリメッセージ４９を相手装置へ送信する。
【００７６】
ファクシミリメッセージ４９を送信した後、ファクシミリ装置１は、他に送信すべきページがあるときは、マルチページ信号（ＭＰＳ）５０を相手装置へ送信する。相手装置は、マルチページ信号５０をファクシミリ装置１から受信すると、メッセージ確認信号（ＭＣＦ）５１をファクシミリ装置１へ送信する。ファクシミリ装置１は、メッセージ確認信号５１を相手装置から受信すると、次のページのファクシミリメッセージ５２を相手装置へ送信する。
【００７７】
他に送信すべきページがある限り、前述のような、マルチページ信号、メッセージ確認信号およびファクシミリメッセージのやり取りを繰り返し、他に送信すべきページがなくなると、ファクシミリ装置１は、手順終了信号（ＥＯＰ）５３を相手装置へ送信する。相手装置は、手順終了信号５３をファクシミリ装置１から受信すると、メッセージ確認信号５４をファクシミリ装置１へ送信する。ファクシミリ装置１は、メッセージ確認信号５４を相手装置から受信すると、切断命令信号（ＤＣＮ）５５を相手装置へ送信して、伝送制御手順を終了する。
【００７８】
図１１は、第１の情報出力形態の相手装置において、ファクシミリ装置１からの情報を出力した状態を示す図である。第１の情報出力形態の相手装置は、本実施の形態のファクシミリ装置１から、前記図９のステップｃ５で送信される信号を受信すると、受信した信号が表す情報を記録シートに印刷して出力する。記録シートには、図１１に示すように、ＱＲコード６１を有する画像６２が形成される。
【００７９】
相手装置の利用者は、記録シートに形成されるＱＲコード６１を、ＱＲコード読取装置に読み取らせる。ＱＲコード読取装置は、たとえばカメラ付き携帯電話機によって実現される。ＱＲコード読取装置は、ＱＲコード６１を読み取って、このＱＲコード６１に基づく音声または文字を出力する。これによって相手装置の利用者は、前記図６に示す音声情報の添付処理で入力される音声情報に相当する情報を把握することができる。
【００８０】
ＱＲコード６１を有する画像６１において、ＱＲコード６１は、音声入力した位置に配置される。したがって相手装置の利用者は、ＱＲコード６１に基づく音声または文字による説明が、記録シートに形成される画像６２のどの部分の説明であるかを、容易に判断することができる。
【００８１】
ＱＲコードは、バーコードに比べて、省スペース化を図ることができる。したがって記録シートに形成される画像のうち原稿画像情報に基づく画像に与える影響を小さくすることができる。またＱＲコードは、汚れおよび欠損などがあっても識別可能であるので、より確実に、相手装置の利用者に情報を伝えることができる。
【００８２】
図１２は、第２の情報出力形態の相手装置において、ファクシミリ装置１からの情報を出力した状態を示す図である。第２の情報出力形態の相手装置は、本実施の形態のファクシミリ装置１から、前記図９のステップｃ１０で送信される信号を受信すると、受信した信号が表す情報を記録シートに印刷して出力する。記録シートには、図１２（１）に示すように、所定の記号６３を有する画像６４が形成され、また他の記録シートには、図１２（２）に示すように、文字情報に基づく文字６５を有する画像６６が形成される。
【００８３】
所定の記号６３を有する画像６４において、所定の記号６３は、音声入力した位置に配置される。文字情報に基づく文字６５を有する画像６６において、文字情報に基づく文字６５の先頭には、所定の記号６７が付加されている。この所定の記号６７は、図１２（１）に示す所定の記号６３を有する画像６４における前記所定の記号６３に対応付けられている。したがって相手装置の利用者は、図１２（２）に示す文字情報に基づく文字６５による説明が、図１２（１）に示す所定の記号６３を有する画像６４のどの部分の説明であるかを、容易に判断することができる。
【００８４】
図１３は、第３の情報出力形態の相手装置において、ファクシミリ装置１からの情報を出力した状態を示す図である。図１４は、第３の情報出力形態の相手装置による情報出力処理を説明するためのフローチャートである。
【００８５】
第３の情報出力形態の相手装置は、本実施の形態のファクシミリ装置１から、前記図９のステップｃ１２で送信される信号を受信すると、受信した信号が表す情報の出力処理を開始し、ステップｄ１に進む。ステップｄ１では、原稿画像情報を表示画面に表示し、ステップｄ２に進む。ステップｄ２では、原稿画像情報に加えて、添付画像情報を表示画面に表示する。このステップｄ２では、位置情報に基づいて、原稿画像情報に基づく画像６８の所定位置に添付画像情報に基づくマーク６９が重ねて、表示される。所定位置は、音声入力した位置である。
【００８６】
次のステップｄ３では、マーク６９が選択されたか否かを判定する。マーク６９が選択されるまでステップｄ３の動作を繰り返し実行し、マーク６９が選択されるとステップｄ４に進む。ステップｄ４では、マーク６９の位置に関連付けられた添付音声情報を再生して出力し、ステップｄ５に進む。ステップｄ５では、再生の終了を伝えるメッセージを表示画面に表示し、ステップｄ３に戻る。
【００８７】
このように相手装置では、所定位置にマーク６９を有する画像を表示画面に表示する。そして表示画面に表示させた画像の前記マーク６９が選択されることによって、音声情報を出力する。したがって相手装置の利用者は、説明を聞きたい部分のマーク６９を選択することによって、その部分についての説明を聞くことができる。
【００８８】
相手装置の情報出力形態が第１または第２の情報出力形態であるとき、原稿画像情報には、他の情報が合成されるけれども、相手装置の情報出力形態が第３の情報出力形態であるとき、原稿画像情報には、他の情報が合成されない。したがって他の情報によって原稿画像情報を損ってしまうという不具合がない。これによって相手装置では、他の情報の影響を受けることなく、原稿画像情報に基づく画像を再現することができる。
【００８９】
相手装置では、マーク６９の表示／非表示が選択可能であってもよい。相手装置は、原稿画像情報などを印刷して出力可能であってもよく、この場合、マークの有無が選択可能であってもよい。また相手装置では、受信した信号が表す情報をメモリ部に記憶しておくことによって、相手装置の利用者は、何度でも前記情報を確認することができる。
【００９０】
以上のような本実施の形態によれば、生成手段５は、入力される送信対象情報から、送信先の相手装置に関する相手情報に基づいて、相手装置に応じたデータ形式の送信対象情報を生成する。送信手段７は、生成手段５によって生成された送信対象情報を表す信号を、相手装置へ送信する。したがって相手装置へは、この相手装置に応じたデータ形式の送信対象情報を表す信号を送信することができる。これによって相手装置では、本実施の形態のファクシミリ装置１から受信した信号が表す情報を出力して、所望の情報を相手装置の利用者に確実に伝えることができ、利便性を向上させることができる。
【００９１】
前記相手情報は、相手装置の情報出力形態の情報を含む。生成手段５は、相手装置の情報出力形態の情報に基づいて、相手装置で出力可能なデータ形式の送信対象情報を生成する。したがって相手装置へは、この相手装置で出力可能なデータ形式の送信対象情報を表す信号を送信することができる。これによって相手装置では、本実施の形態のファクシミリ装置１から受信した信号が表す情報を確実に出力することができる。
【００９２】
相手情報は、操作入力手段８によって操作入力するので、相手装置に応じて相手情報を任意に操作入力することができる。
【００９３】
図１５は、本発明の実施の第２形態であるファクシミリ装置７１の構成を大略的に示すブロック図である。図１６は、メモリ部２４に記憶される送信記録テーブル７２を示す図である。本実施の形態のファクシミリ装置７１は、前述の第１形態のファクシミリ装置１に類似するので、同一の部分には同一の符号を付して説明を省略する。
【００９４】
本実施の形態のファクシミリ装置７１は、相手情報を記憶する記憶手段７３をさらに含む。記憶手段７３は、メモリ部２４によって構成される。メモリ部２４には、送信記録テーブル７２が記憶される。この送信記録テーブル７２では、相手装置の電話番号の情報７４とその相手装置に関する相手情報７５とが関連付けられている。
【００９５】
システム制御部２８は、送信対象情報の送信処理を実行したとき、送信先となった相手装置の電話番号の情報とその相手装置に関する相手情報とを関連付けて、送信記録テーブル７２の一部としてメモリ部２４に記憶させる。
【００９６】
システム制御部２８は、送信対象情報の送信処理を開始すると、送信記録テーブル７２を参照する。システム制御部２８は、送信記録テーブル７２に、送信先となる相手装置の電話番号の情報がないとき、操作部２３によって操作入力される相手情報に応答して、相手装置の情報出力形態を判定する。システム制御部２８は、送信記録テーブル７２に、送信先となる相手装置の電話番号の情報があるとき、その相手装置の電話番号の情報に関連付けられている相手情報によって、相手装置の情報出力形態を判定する。相手装置の情報出力形態を判定した後のシステム制御部２８の動作は、前記図９と同様である。
【００９７】
本実施の形態によれば、メモリ部２４には、送信記録テーブル７２が記憶され、この送信記録テーブル７２には、送信先となった相手装置の電話番号の情報７４とその相手装置に関する相手情報７５とが関連付けられている。この送信記録テーブル７２を参照して、システム制御部２８は、相手装置の情報出力形態を判定する。したがって過去に送信先となった相手装置に対して送信するときは、その相手装置に関する相手情報を操作入力する必要がないので、相手情報の操作入力に要する手間を省くことができる。
【００９８】
本実施の形態の変更例を述べると、メモリ部２４には、登録テーブルが記憶され、この登録テーブルでは、相手装置の電話番号の情報とその相手装置に関する相手情報とが関連付けられる。登録テーブルには、操作入力によって前記各情報が予め登録される。この変形例では、システム制御部２８は、送信対象情報の送信処理を開始すると、登録テーブルを参照して、相手装置の情報出力形態を判定する。このような変更例では、登録済みの相手装置に対して送信するときは、その相手装置に関する相手情報を操作入力する必要がないので、相手情報の操作入力に要する手間を省くことができる。
【００９９】
図１７は、本発明の実施の第３形態であるファクシミリ装置８１の構成を大略的に示すブロック図である。本実施の形態のファクシミリ装置８１は、前述の第１形態のファクシミリ装置１に類似するので、同一の部分には同一の符号を付して説明を省略する。
【０１００】
本実施の形態のファクシミリ装置８１は、操作入力手段８に代えて受信手段８２を含む。受信手段８２は、通信制御部２５とモデム部２６と回線制御部２７とによって構成される。受信手段８２は、通信前手順となるフェーズＢにおいて、相手装置から相手情報を表す信号８３を受信する。フェーズＢは、前処理の過程で、端末、伝送路などの状態確認および端末制御のためのシーケンスである。前記図１０を参照して、相手情報を表す信号８３は、図１０における非標準機能識別信号４３である。
【０１０１】
システム制御部２８は、送信対象情報の送信処理を開始すると、まず、受信手段８２によって、相手装置から相手情報を表す信号８３を受信する。次に、システム制御部２８は、受信手段８２によって受信した信号８３が表す相手情報によって、相手装置の情報出力形態を判定する。相手装置の情報出力形態を判定した後のシステム制御部２８の動作は、前記図９と同様である。
【０１０２】
本実施の形態によれば、システム制御部２８は、受信手段８２によって、通信前手順において、相手装置から相手情報を表す信号８３を受信する。次に、システム制御部２８は、受信手段８２によって受信した信号８３が表す相手情報によって、相手装置の情報出力形態を判定する。したがって相手装置に対して送信するときに、その相手装置に関する相手情報を操作入力する必要がないので、相手情報の操作入力に要する手間を省くことができる。
【０１０３】
前述の第１〜第３形態は、組み合わせてもよい。この場合、受信手段８２によって受信した信号８３が表す相手情報による相手装置の情報出力形態の判定を最も優先する。これによって相手装置で情報を出力することができないという不具合を、確実に防ぐことができる。
【０１０４】
相手装置の情報出力形態は、前述の第１〜第３の情報出力形態に限らない。たとえば、相手装置の情報出力形態の情報は、複数の色を用いて印刷出力可能かどうかの情報であってもよい。一例として述べると、複数の色を用いて印刷出力可能である場合、２次元コードが特定の色で、印刷出力されてもよい。
【０１０５】
本発明の実施の第４形態では、相手情報は、相手装置の情報出力形態の情報に代えて、相手装置の利用者に適した言語の情報を含む。本実施の形態のファクシミリ装置は、前述の第１形態のファクシミリ装置１に類似するので、共通する点は説明を省略する。本実施の形態では、生成手段は、相手装置の利用者に適した言語の情報に基づいて、相手装置の利用者に適した言語で表すデータ形式の送信対象情報を生成する。
【０１０６】
本実施の形態では、相手装置の利用者に適した言語とは、相手装置の利用者が用いる国語または民族語を意味する。相手装置の利用者に適した言語とは、相手装置の利用者が用いる方言を意味してもよい。相手装置の利用者に適した言語とは、敬語および丁寧語などの言葉づかいを意味してもよい。相手装置の利用者に適した言語とは、幼児が用いる幼児語を意味してもよい。
【０１０７】
本実施の形態によれば、相手情報は、相手装置の利用者に適した言語の情報を含み、生成手段は、相手装置の利用者に適した言語の情報に基づいて、相手装置の利用者に適した言語で表すデータ形式の送信対象情報を生成する。したがって相手装置へは、この相手装置の利用者に適した言語で表すデータ形式の送信対象情報を表す信号を送信することができる。これによって相手装置では、本実施の形態のファクシミリ装置から受信した信号が表す情報を、相手装置の利用者に適した言語で出力することができ、所望の情報を相手装置の利用者に確実に伝えることができ、利便性を向上させることができる。
【０１０８】
本実施の形態の変更例を述べると、相手情報は、相手装置の情報出力形態の情報と、相手装置の利用者に適した言語の情報との両者を含む。生成手段は、相手装置の情報出力形態の情報および相手装置の利用者に適した言語の情報に基づいて、相手装置で出力可能でありかつ相手装置に適した言語で表すデータ形式の送信対象情報を生成する。このような変形例では、相手装置において、本実施の形態のファクシミリ装置から受信した信号が表す情報を確実に出力することができ、しかも相手装置の利用者に適した言語で出力することができる。
【０１０９】
本発明の実施の第５形態では、相手情報は、相手装置の情報出力形態の情報に代えて、相手装置が設置される場所の情報を含む。本実施の形態のファクシミリ装置は、前述の第１形態のファクシミリ装置１に類似するので、共通する点は説明を省略する。本実施の形態では、生成手段は、相手装置が設置される場所の情報に基づいて、相手装置が設置される場所で用いる言語で表すデータ形式の送信対象情報を生成する。
【０１１０】
本実施の形態では、相手装置が設置される場所とは、国または地域を意味する。相手装置が設置される場所で用いる言語とは、その場所における国語または民族語を意味する。相手装置が設置される場所で用いる言語とは、その場所における方言を意味してもよい。
【０１１１】
相手装置が設置される場所と相手装置の電話番号との間には関連性があるので、相手装置の電話番号から相手装置が設置される場所を特定することができる。この点を考慮して、本実施の形態では、相手装置の電話番号の情報が、相手装置が設置される場所の情報として用いられる。
【０１１２】
本実施の形態によれば、相手情報は、相手装置が設置される場所の情報を含み、生成手段は、相手装置が設置される場所の情報に基づいて、相手装置が設置される場所で用いる言語で表すデータ形式の送信対象情報を生成する。したがって相手装置へは、この相手装置が設置される場所で用いる言語で表すデータ形式の送信対象情報を表す信号を送信することができる。これによって相手装置では、本実施の形態のファクシミリ装置から受信した信号が表す情報を、相手装置が設置される場所で用いる言語で出力することができ、所望の情報を相手装置の利用者に確実に伝えることができ、利便性を向上させることができる。
【０１１３】
本実施の形態の変更例を述べると、相手情報は、相手装置の情報出力形態の情報と、相手装置が設置される場所の情報との両者を含む。生成手段は、相手装置の情報出力形態の情報および相手装置が設置される場所の情報に基づいて、相手装置で出力可能でありかつ相手装置が設置される場所で用いる言語で表すデータ形式の送信対象情報を生成する。このような変形例では、相手装置において、本実施の形態のファクシミリ装置から受信した信号が表す情報を確実に出力することができ、しかも相手装置が設置される場所で用いる言語で出力することができる。
【０１１４】
前述の実施の各形態では、本発明の通信装置は、ファクシミリ装置として実現されるけれども、その他の通信装置として実現されてもよい。たとえば、本発明の通信装置は携帯電話機として実現されてもよい。
【０１１５】
本発明の実施の第６形態は、前述の実施の各形態のファクシミリ装置による通信方法である。本実施の形態によれば、入力される送信対象情報から、送信先の相手装置に関する相手情報に基づいて、相手装置に応じたデータ形式の送信対象情報を生成して、その送信対象情報を表す信号を、相手装置へ送信する。したがって相手装置へは、この相手装置に応じたデータ形式の送信対象情報を表す信号を送信することができる。これによって相手装置では、本実施の形態の通信方法によって送信された信号を受信し、受信した信号が表す情報を出力して、所望の情報を相手装置の利用者に確実に伝えることができ、利便性を向上させることができる。
【０１１６】
本発明の実施の第７形態は、前述の実施の各形態のファクシミリ装置によって前記通信方法を実現するために実行されるプログラムである。本実施の形態によれば、前記プログラムをコンピュータで実行することによって、前記コンピュータに、（１）入力される送信対象情報から、送信先の相手装置に関する相手情報に基づいて、相手装置に応じたデータ形式の送信対象情報を生成する機能と、（２）生成された送信対象情報を表す信号を、相手装置へ送信する機能とを実現させることができる。
【０１１７】
本発明の実施の第８形態は、前記プログラムを記録したコンピュータ読取可能な記録媒体である。記録媒体は、フレキシブルディスク、ＣＤ−ＲＯＭ（Compact Disk Read Only
Memory）およびＤＶＤ−ＲＯＭ（Digital Versatile Disk Read Only Memory）などによって実現される。本実施の形態の記録媒体が用いられることによって、前記プログラムのインストールおよび実行が可能となり、また前記プログラムの流通が可能となる。
【図面の簡単な説明】
【０１１８】
【図１】本発明の実施の第１形態であるファクシミリ装置１の構成を大略的に示すブロック図である。
【図２】ファクシミリ装置１の構成を示すブロック図である。
【図３】ファクシミリ装置１の外観を示す正面図である。
【図４】システム制御部２８による送信対象情報の入力処理を説明するためのフローチャートである。
【図５】原稿３１の一例を示す図である。
【図６】システム制御部２８による音声情報の添付処理を説明するためのフローチャートである。
【図７】表示部１３の表示画面に表示される画像を示す図である。
【図８】メモリ部２４に記憶される関連付け情報３５を示す図である。
【図９】システム制御部２８による送信対象情報の送信処理を説明するためのフローチャートである。
【図１０】伝送制御手順の一例を説明するためのシーケンス図である。
【図１１】第１の情報出力形態の相手装置において、ファクシミリ装置１からの情報を出力した状態を示す図である。
【図１２】第２の情報出力形態の相手装置において、ファクシミリ装置１からの情報を出力した状態を示す図である。
【図１３】第３の情報出力形態の相手装置において、ファクシミリ装置１からの情報を出力した状態を示す図である。
【図１４】第３の情報出力形態の相手装置による情報出力処理を説明するためのフローチャートである。
【図１５】本発明の実施の第２形態であるファクシミリ装置７１の構成を大略的に示すブロック図である。
【図１６】メモリ部２４に記憶される送信記録テーブル７２を示す図である。
【図１７】本発明の実施の第３形態であるファクシミリ装置８１の構成を大略的に示すブロック図である。
【符号の説明】
【０１１９】
１，７１，８１  ファクシミリ装置
５  生成手段
７  送信手段
８  操作入力手段
７３  記憶手段
８２  受信手段
【図１】
2007060165.tif 000003
【図２】
2007060165.tif 000004
【図３】
2007060165.tif 000005
【図４】
2007060165.tif 000006
【図５】
2007060165.tif 000007
【図６】
2007060165.tif 000008
【図７】
2007060165.tif 000009
【図８】
2007060165.tif 000010
【図９】
2007060165.tif 000011
【図１０】
2007060165.tif 000012
【図１１】
2007060165.tif 000013
【図１２】
2007060165.tif 000014
【図１３】
2007060165.tif 000015
【図１４】
2007060165.tif 000016
【図１５】
2007060165.tif 000017
【図１６】
2007060165.tif 000018
【図１７】
2007060165.tif 000019